(57)【要約】【課題】作業性を向上することができる柱材用作業ステージ部材及び柱材用作業ステージを提供する。【解決手段】作業ステージ１に用いられるものであって、コラム柱２に取り付け可能に形成された取付部１１０と、コラム柱２の長手方向が水平方向へ向けられた場合に作業者Ｗが乗る面が略水平方向へ向くように足場板２００を保持する保持部１２０と、を具備する。また、保持部１２０は、コラム柱２の両側方で、足場板２００を載置するように形成されている。【選択図】図１
2018103219.tif 000002
【特許請求の範囲】
【請求項１】
柱材用作業ステージに用いられる柱材用作業ステージ部材であって、
柱材に取り付け可能に形成された取付部と、
前記柱材の長手方向が水平方向へ向けられた場合に作業者が乗る面が略水平方向へ向くように足場部材を保持する保持部と、
を具備する柱材用作業ステージ部材。
【請求項２】
前記保持部は、
前記柱材の両側方で、前記足場部材を載置するように形成されている、
請求項１に記載の柱材用作業ステージ部材。
【請求項３】
前記取付部から突出するように形成された把持部を具備する、
請求項１又は請求項２に記載の柱材用作業ステージ部材。
【請求項４】
請求項１から請求項３までのいずれか一項に記載の柱材用作業ステージ部材と、
前記柱材用作業ステージ部材の前記保持部に保持された前記足場部材と、
を具備する、
柱材用作業ステージ。
【請求項５】
前記柱材に対して前記保持部を支持する支持部材を具備する、
請求項４に記載の柱材用作業ステージ。
【請求項６】
前記支持部材は、
前記柱材用作業ステージ部材の前記保持部に固定される固定部と、
前記柱材の側面に沿うように、前記固定部から延設された一対の延設部と、
を具備し、
前記一対の延設部は、
当該一対の延設部間に挿通されたボルトに対してナットが締め付けられることによって、前記柱材の前記側面に押し付けられた状態で配置されている、
請求項５に記載の柱材用作業ステージ。
【請求項７】
前記足場部材に設けられた手すりを具備する、
請求項４から請求項６までのいずれか一項に記載の柱材用作業ステージ。
【請求項８】
柱材に取り付け可能に形成された取付部と、
前記柱材の長手方向が水平方向へ向けられた場合に作業者が乗る面が略水平方向へ向くように形成された足場部と、
を具備する柱材用作業ステージ。
【発明の詳細な説明】
【技術分野】
【０００１】
本発明は、柱材用作業ステージ部材及び柱材用作業ステージの技術に関する。
【背景技術】
【０００２】
従来、建築用の柱材の技術は公知となっている。例えば、特許文献１に記載の如くである。
【０００３】
特許文献１には、パイプなどの中空材により形成された柱と、当該柱に接合された梁とを具備する接合構造が記載されている。
【０００４】
このような接合構造において、柱に梁を接合する作業者は、柱をその長手方向が水平方向へ向くように架台の上に配置し、この柱の上に乗って作業を行うことがあった。
【０００５】
しかしながら、このような作業方法では、柱が細い場合には作業性が良くないという問題があった。
【先行技術文献】
【特許文献】
【０００６】
【特許文献１】特開平１０−５４０８１号公報
【発明の概要】
【発明が解決しようとする課題】
【０００７】
本発明は以上の如き状況に鑑みてなされたものであり、その解決しようとする課題は、作業性を向上することができる柱材用作業ステージ部材及び柱材用作業ステージを提供するものである。
【課題を解決するための手段】
【０００８】
本発明の解決しようとする課題は以上の如くであり、次にこの課題を解決するための手段を説明する。
【０００９】
即ち、請求項１においては、柱材用作業ステージに用いられる柱材用作業ステージ部材であって、柱材に取り付け可能に形成された取付部と、前記柱材の長手方向が水平方向へ向けられた場合に作業者が乗る面が略水平方向へ向くように足場部材を保持する保持部と、を具備するものである。
【００１０】
請求項２においては、前記保持部は、前記柱材の両側方で、前記足場部材を載置するように形成されているものである。
【００１１】
請求項３においては、前記取付部から突出するように形成された把持部を具備するものである。
【００１２】
請求項４においては、請求項１から請求項３までのいずれか一項に記載の柱材用作業ステージ部材と、前記柱材用作業ステージ部材の前記保持部に保持された前記足場部材と、を具備するものである。
【００１３】
請求項５においては、前記柱材に対して前記保持部を支持する支持部材を具備するものである。
【００１４】
請求項６においては、前記支持部材は、前記柱材用作業ステージ部材の前記保持部に固定される固定部と、前記柱材の側面に沿うように、前記固定部から延設された一対の延設部と、を具備し、前記一対の延設部は、当該一対の延設部間に挿通されたボルトに対してナットが締め付けられることによって、前記柱材の前記側面に押し付けられた状態で配置されているものである。
【００１５】
請求項７においては、前記足場部材に設けられた手すりを具備するものである。
【００１６】
請求項８においては、柱材に取り付け可能に形成された取付部と、前記柱材の長手方向が水平方向へ向けられた場合に作業者が乗る面が略水平方向へ向くように形成された足場部と、を具備するものである。
【発明の効果】
【００１７】
本発明の効果として、以下に示すような効果を奏する。
【００１８】
請求項１においては、作業性を向上することができる。
【００１９】
請求項２においては、作業者の安定性を向上することができる。
【００２０】
請求項３においては、取付部を柱材に取り付け易くすることができる。
【００２１】
請求項４においては、作業性を向上することができる。
【００２２】
請求項５においては、柱材用作業ステージ部材を柱材に対して強固に取り付けることができる。
【００２３】
請求項６においては、柱材用作業ステージ部材を柱材に対して強固に取り付けることができる。
【００２４】
請求項７においては、作業者の安定性を向上することができる。
【００２５】
請求項８においては、作業性を向上することができる。
【図面の簡単な説明】
【００２６】
【図１】本発明の一実施形態に係る作業ステージの使用状態を示した平面図。
【図２】図１におけるＡ−Ａ断面図。
【図３】図２におけるＣ−Ｃ断面図。
【図４】本発明の一実施形態に係る取付具を示した平面図。
【図５】作業者が作業する様子を示した側面図。
【図６】本発明の一実施形態の別例に係る作業ステージを示した正面図。
【図７】本発明の一実施形態の別例に係る作業ステージの使用状態を示した平面図。
【００２７】
以下では、図中の矢印に基づいて、前後方向、左右方向及び上下方向を定義して説明を行う。
【００２８】
まず、図１から図４を用いて本発明の一実施形態に係る作業ステージ１について説明する。
【００２９】
図１から図３に示す作業ステージ１は、作業者がコラム柱２に梁等の部材を溶接する際に用いられるものである。コラム柱２は、建築構造用に使用される角型鋼管柱である。作業ステージ１は、コラム柱２に取り付けられて使用される。コラム柱２は、架台３に互いの長手方向が直交するように載置されている（図１及び図５参照）。作業ステージ１は、主として取付具１００、足場板２００、支持部材３００及び寸切りボルト４００を具備する。
【００３０】
取付具１００は、後述する足場板２００をコラム柱２に対して取り付けるための部材である。取付具１００は、板材を適宜折り曲げることで形成される。取付具１００は、左右一対の足場板２００に対して、２つの取付具１００が使用される。２つの取付具１００は、それぞれ互いに前後方向に間隔をおいて、コラム柱２に取り付けられる。取付具１００は、取付部１１０、保持部１２０及び把持部１３０を具備する。
【００３１】
取付部１１０は、コラム柱２に取り付けられる部分である。取付部１１０は、正面視において、下方が開放された略Ｕ字状に形成される（図２参照）。取付部１１０は、水平部１１１及び鉛直部１１２を具備する。
【００３２】
図２から図４に示す水平部１１１は、取付部１１０の上端部を構成する部分である。水平部１１１は、略矩形状に形成される。水平部１１１は、板面を上下方向へ、長手方向を左右方向へ向けて、コラム柱２の上面に載置される。
【００３３】
図２から図４に示す鉛直部１１２は、取付部１１０の左右端部を構成する部分である。鉛直部１１２は、水平部１１１の左右端部から下方へ延びるように形成される。鉛直部１１２は、コラム柱２の左右側面に沿うように設けられる。
【００３４】
保持部１２０は、後述する足場板２００を保持する部分である。保持部１２０は、取付部１１０の左右端部それぞれに形成される。左方の保持部１２０は、左方の鉛直部１１２の下端部から左方へ延びるように形成される。右方の保持部１２０は、右方の鉛直部１１２の下端部から右方へ延びるように形成される。これにより、保持部１２０は、板面を上下方向へ向けて、コラム柱２の左右側方に形成される。保持部１２０には、挿通孔１２１が形成される。
【００３５】
図４に示す挿通孔１２１は、足場板２００を固定するためのボルトＢを挿通する孔である。挿通孔１２１は、保持部１２０を上下方向に貫通するように形成される。
【００３６】
把持部１３０は、作業者等が把持する部分である。把持部１３０は、取付部１１０の水平部１１１から上方へ突出するように形成される。把持部１３０は、作業者が把持し易い形状にパイプを適宜屈曲させて形成される。
【００３７】
図１から図３に示す足場板２００は、作業者の足場となるものである。足場板２００は、板面を上下方向へ、長手方向を前後方向へ向けた略矩形板状に形成される。足場板２００は、コラム柱２の左右側方にそれぞれ設けられる。
【００３８】
なお、左右の足場板２００は互いに左右対称に形成される（設けられる）。また、後述する支持部材３００も同様に、コラム柱２の左右側方に設けられ、左右の支持部材３００は互いに左右対称に形成される。以下では、特に断りの無い限り、右側の足場板２００及び支持部材３００について説明する。
【００３９】
足場板２００の前後端部及び右端部は、上方へ折り曲げられている。これにより、足場板２００の強度を向上させている。足場板２００は、取付具１００の保持部１２０に載置される。より詳細には、足場板２００の前端部近傍は、前側の取付具１００の保持部１２０によって下方から支持されている。足場板２００の後端部近傍は、後側の取付具１００の保持部１２０によって下方から支持されている。足場板２００には、取付具１００の挿通孔１２１に対応する位置に挿通孔が形成される。当該挿通孔は、足場板２００を固定するためのボルトＢを挿通する孔であって、足場板２００を上下方向に貫通するように形成される。
【００４０】
図２及び図３に示す支持部材３００は、コラム柱２に対して取付具１００の保持部１２０を支持するものである。支持部材３００は、板材を折り曲げることで形成される。支持部材３００は、正面視において、上下反転したＬ字状に形成される。支持部材３００は、取付具１００及び足場板２００の下方に、コラム柱２の右側面に沿って設けられる。支持部材３００は、固定部３１０及び延設部３２０を具備する。
【００４１】
固定部３１０は、支持部材３００の上端部を構成する部分である。固定部３１０は、板面を上下方向へ向けた略矩形状に形成される。固定部３１０は、取付具１００の保持部１２０の下面に沿って設けられる。固定部３１０には、取付具１００の挿通孔１２１に対応する位置に挿通孔が形成される。当該挿通孔は、足場板２００を固定するためのボルトＢを挿通する孔であって、固定部３１０を上下方向に貫通するように形成される。
【００４２】
図２に示すように、支持部材３００（固定部３１０）、取付具１００（保持部１２０）及び足場板２００は、各部材の挿通孔（取付具１００の挿通孔１２１を含む）に下方から挿通されたボルトＢにナットＮが締め付けられることによって、互いに締結（共締め）されている。
【００４３】
延設部３２０は、支持部材３００の左端部を構成する部分である。延設部３２０は、固定部３１０の左端部から下方へ延びるように形成される。延設部３２０は、コラム柱２の下端よりも下方まで形成される。延設部３２０は、コラム柱２の右側面に沿って形成される。延設部３２０には、切欠部３２１が形成される。
【００４４】
図３に示す切欠部３２１は、後述する寸切りボルト４００が挿通される部分である。なお、図３においては、切欠部３２１の形状を明瞭に示すために、当該部分のナットＮの図示を省略している。切欠部３２１は、延設部３２０を左右方向へ貫通するように形成される。切欠部３２１は、延設部３２０の前端が開放されるように形成される。切欠部３２１は、延設部３２０の前端から前後中途部まで延びると共に、当該前後中途部から下方へ延びるように形成される。
【００４５】
寸切りボルト４００は、軸線方向を左右方向へ向けて、左右の切欠部３２１に挿通されるものである。寸切りボルト４００の左右端部は、支持部材３００の延設部３２０から外側に突出し、その突出した部分がナットＮによって締め付けられる。これにより、延設部３２０がコラム柱２の左右側面に押し付けられることとなる。したがって、左右の支持部材３００によりコラム柱２を挟み込むことができる。このようにすることで、支持部材３００と共締めされた取付具１００をコラム柱２に強固に取り付けることができる。
【００４６】
このように構成された作業ステージ１において、図５に示すように、作業者Ｗは、足場板２００に乗って、梁２ａをコラム柱２に溶接することができる。このように、作業のための足場を広く確保することができるので、作業者Ｗの作業性を向上することができる。また、足場板２００はコラム柱２の左右側方に設けられているので、作業者Ｗは、溶接の箇所によって、右側の足場板２００又は左側の足場板２００のうち作業がし易い方に乗ることができる。また、作業者Ｗは、コラム柱２をまたぐようにして作業することもできる。このため、作業者Ｗは姿勢を安定させて作業することができる。
【００４７】
また、作業者Ｗは、取付具１００をコラム柱２に取り付ける際に、把持部１３０を把持して取付作業を行うことができる。したがって、取付具１００の取付作業性を向上させることができる。また、作業者Ｗが溶接等の作業の際に把持部１３０を掴むことで、安定した作業が可能となる。
【００４８】
また、支持部材３００が設けられていることにより、取付具１００をコラム柱２に強固に取り付けることができる。これにより、コラム柱２に対する足場板２００の取付強度を向上させることができる。
【００４９】
以上の如く、本実施形態に係る取付具１００（柱材用作業ステージ部材）は、作業ステージ１（柱材用作業ステージ）に用いられるものであって、コラム柱２（柱材）に取り付け可能に形成された取付部１１０と、前記コラム柱２の長手方向が水平方向へ向けられた場合に作業者Ｗが乗る面が略水平方向へ向くように足場板２００（足場部材）を保持する保持部１２０と、を具備するものである。
このように構成することにより、作業性を向上することができる。
【００５０】
また、前記保持部１２０は、前記コラム柱２の両側方で、前記足場板２００を載置するように形成されているものである。
このように構成することにより、作業者Ｗの安定性を向上することができる。
【００５１】
また、本実施形態に係る取付具１００は、前記取付部１１０から突出するように形成された把持部１３０を具備するものである。
このように構成することにより、取付部１１０をコラム柱２に取り付け易くすることができる。
【００５２】
また、本実施形態に係る作業ステージ１は、前記取付具１００と、前記取付具１００の前記保持部１２０に保持された前記足場板２００と、を具備するものである。
このように構成することにより、作業性を向上することができる。
【００５３】
また、本実施形態に係る作業ステージ１は、前記コラム柱２に対して前記保持部１２０を支持する支持部材３００を具備するものである。
このように構成することにより、取付具１００をコラム柱２に対して強固に取り付けることができる。
【００５４】
また、前記支持部材３００は、前記取付具１００の前記保持部１２０に固定される固定部３１０と、前記コラム柱２の側面に沿うように、前記固定部３１０から延設された一対の延設部３２０と、を具備し、前記一対の延設部３２０は、当該一対の延設部３２０間に挿通された寸切りボルト４００（ボルト）に対してナットＮが締め付けられることによって、前記コラム柱２の前記側面に押し付けられた状態で配置されているものである。
このように構成することにより、取付具１００をコラム柱２に対して強固に取り付けることができる。
【００５５】
なお、本実施形態に係るコラム柱２は、柱材の一形態である。
また、本実施形態に係る取付具１００は、柱材用作業ステージ部材の一形態である。
また、本実施形態に係る足場板２００は、足場部材の一形態である。
また、本実施形態に係る寸切りボルト４００は、ボルトの一形態である。
【００５６】
以上、本発明の一実施形態を説明したが、本発明は上記構成に限定されるものではなく、特許請求の範囲に記載された発明の範囲内で種々の変更が可能である。
【００５７】
例えば、本実施形態においては、作業ステージ１は、角型鋼管柱であるコラム柱２の作業に用いられるものとしたが、例えばＨ型鋼等の他の形状の柱材の作業に用いられるものであってもよい。取付具１００は、柱材の形状に応じて適宜構造を変更することができる。
【００５８】
また、本実施形態においては、取付具１００及び支持部材３００は互いに別部材であるものとしたが、取付具１００と支持部材３００とは予め溶接等によって一体化されていてもよい。
【００５９】
また、図６に示すように、本実施形態に係る作業ステージ１は、手すり５００を具備するものであってもよい。手すり５００は、足場板２００の適宜の場所に設けることができる。したがって、作業者Ｗは移動する際に手すり５００掴むことができ、これにより安定性を確保することができる。
【００６０】
以上の如く、本実施形態に係る作業ステージ１は、前記足場板２００に設けられた手すり５００を具備するものである。
このように構成することにより、作業者Ｗの安定性を向上することができる。
【００６１】
また、本実施形態においては、取付具１００及び足場板２００は互いに別部材であるものとしたが、図７に示すように、取付具１００が足場板２００の役割を兼ねるように構成されるものとしてもよい。この場合、取付具１００は、図１等に示すものよりも前後方向の長さを長くすると共に、保持部１２０の左右方向の長さを長くする。これにより、作業者Ｗは保持部１２０に乗って作業することができる。
【００６２】
以上の如く、本実施形態に係る作業ステージ１は、コラム柱２に取り付け可能に形成された取付部１１０と、前記コラム柱２の長手方向が水平方向へ向けられた場合に作業者Ｗが乗る面が略水平方向へ向くように形成された保持部１２０（足場部）と、を具備するものである。
このように構成することにより、作業者Ｗの安定性を向上することができる。
【符号の説明】
【００６３】
１      作業ステージ
２      コラム柱
１００  取付具
１１０  取付部
１２０  保持部
１３０  把持部
２００  足場板
３００  支持部材
３１０  固定部
３２０  延設部
４００  寸切りボルト
５００  手すり
【図１】
2018103219.tif 000003
【図２】
2018103219.tif 000004
【図３】
2018103219.tif 000005
【図４】
2018103219.tif 000006
【図５】
2018103219.tif 000007
【図６】
2018103219.tif 000008
【図７】
2018103219.tif 000009